(57)【要約】【課題】利便性を向上できる電気掃除機を提供する。【解決手段】把持部８及び気流路３１ｂを有して吸込口体５と一体な状態と吸込口体５から独立した状態とを選択可能な可搬部３１と、可搬部３１に着脱自在に設けられて気流路３１ｂを延長する延長パイプ６と、回動軸４１ａで回動自在に可搬部３１に連結されて開口部４１ｂが先端に形成されるブラシ保持部４１と、開口部４１ｂの周囲に配されるブラシ４０と、可搬部３１を延長パイプ６に取り付けた際にブラシ保持部４１を収納する収納部６ａとを備え、ブラシ保持部４１は収納部６ａ内で配される収納位置と収納部６ａから取り出した際に収納位置に対して傾斜した掃除位置との間を気流路３１ｂの前方を遮らずに回動し、開口部４１ｂが掃除位置で気流路３１ｂの径方向外側まで延びて形成されて収納位置で気流路３１ｂの端面よりも前方に配される。【選択図】図７
2010162081.tif 000002
【特許請求の範囲】
【請求項１】
電動送風機と、
前記電動送風機に連通して床面に対峙する吸気口を有した吸込口体と、
使用者により把持される把持部を有して前記吸込口体と一体に移動する状態と前記吸込口体から独立して移動する状態とを択一的に選択可能に設けられ、前記電動送風機に連通する気流路を内部に有する可搬部と、
前記可搬部に着脱自在に設けられ、前記気流路を延長する延長パイプと、
前記気流路の気流方向に垂直な回動軸で回動自在に前記可搬部に連結されるとともに、前記可搬部を前記延長パイプから取外した際に前記気流路に連通する開口部が先端に形成されるブラシ保持部と、
前記開口部の周囲に配されるブラシと、
前記延長パイプに設けられるとともに前記可搬部を前記延長パイプに取り付けた際に前記ブラシ保持部を収納する収納部と、
を備え、前記ブラシ保持部は前記収納部内に収納した際に配される収納位置と、前記収納部から取り出した際に前記収納位置に対して傾斜した掃除位置との間を前記気流路の前方を遮らずに回動するとともに、前記開口部の一端が前記掃除位置で前記気流路の径方向外側まで延びて形成されて前記収納位置で前記気流路の端面よりも前方に配されることを特徴とする電気掃除機。
【請求項２】
前記回動軸が前記気流路の径方向の外側であって前記把持部を把持して前記ブラシを使用する際に立設される前記気流路に対して前方となる側に配されることを特徴とする請求項１に記載の電気掃除機。
【請求項３】
前記ブラシ保持部は前記掃除位置で前方となる前部が覆われて後方となる後部が開放され、前記後部が前記気流路の側壁と摺動して前記ブラシ保持部が回動することを特徴とする請求項２に記載の電気掃除機。
【請求項４】
前記ブラシ保持部材を前記掃除位置の方向に付勢する弾性部材を設け、前記可搬部を前記延長パイプに装着した際に、前記弾性部材の付勢力に抗して前記ブラシ保持部材が前記収納部の内壁と摺動して前記収納位置に配されることを特徴とする請求項１〜請求項３のいずれかに記載の電気掃除機。
【請求項５】
前記電動送風機を収納する本体部に前記吸込口体が傾倒自在に連結されるとともに前記可搬部が前記延長パイプとともに前記本体部に着脱自在に設けられ、前記本体部に接続される可撓性の接続ホースを介して前記気流路が前記吸込口体と並列に前記電動送風機に連通することを特徴とする請求項１〜請求項４のいずれかに記載の電気掃除機。
【請求項６】
前記延長パイプにより前記吸込口体と前記可搬部とを連結するとともに、前記電動送風機を収納する本体部に接続された可撓性の接続ホースとを有し、前記吸気口からの吸気が前記延長パイプ、前記気流路及び前記接続ホースを流通して前記電動送風機に導かれることを特徴とする請求項１〜請求項４のいずれかに記載の電気掃除機。
【発明の詳細な説明】
【技術分野】
【０００１】
本発明は、ブラシと一体の把持部を着脱自在に設けた電気掃除機に関する。
【背景技術】
【０００２】
従来の電気掃除機は特許文献１に開示されている。この電気掃除機は電動送風機を内装する本体部の下方に吸込口体が配される。吸込口体は床面に対峙する吸気口を有し、電動送風機に連通する。本体部には着脱自在の延長パイプが上方に延びて装着され、延長パイプの上部に把持部が設けられる。これにより、把持部を把持して吸込口体を本体部とともに移動して掃除することができる。
【０００３】
また、延長パイプの一端は接続ホースを介して本体部に接続される。これにより、把持部を把持して本体部から脱着した延長パイプを吸込口体と独立して移動することができる。そして、延長パイプの先端から吸気して天井や家具の隙間等の掃除を行うことができる。
【０００４】
また、延長パイプは接続ホースに対して着脱自在に設けられる。延長パイプが取外された接続ホースの先端にはブラシを保持して回動するブラシ保持部が配された実施例が開示される。延長パイプを接続ホースから脱着した際にブラシ保持部は接続ホースの端面の前方に配され、被掃除面に応じて所望の角度に傾斜して机上等の掃除を行うことができる。また、ブラシが手前に配されるようにブラシ保持部を回動して収納され、接続ホースに延長パイプを接続して使用される。
【先行技術文献】
【特許文献】
【０００５】
【特許文献１】特開２００５−８７５０８号公報（第４頁−第９頁、第７図）
【発明の概要】
【発明が解決しようとする課題】
【０００６】
しかしながら、上記従来の電気掃除機によると、ブラシ保持部は収納時に収納位置でブラシが接続ホースに沿って手前に配される。このため、ブラシを使用する際にブラシ保持部を使用者が把持して収納位置から使用位置に回動させる。また、ブラシを収納する際にブラシ保持部を使用者が把持して使用位置から収納位置に回動させる。このため、ブラシの使用時及び収納時にブラシ保持部を回動させる作業を必要とするとともに、ブラシ保持部に付着する塵埃で使用者の手指が汚れる。従って、電気掃除機の利便性が悪い問題があった。
【０００７】
本発明は、利便性を向上できる電気掃除機を提供することを目的とする。
【課題を解決するための手段】
【０００８】
上記目的を達成するために本発明は、
電動送風機と、
前記電動送風機に連通して床面に対峙する吸気口を有した吸込口体と、
使用者により把持される把持部を有して前記吸込口体と一体に移動する状態と前記吸込口体から独立して移動する状態とを択一的に選択可能に設けられ、前記電動送風機に連通する気流路を内部に有する可搬部と、
前記可搬部に着脱自在に設けられ、前記気流路を延長する延長パイプと、
前記気流路の気流方向に垂直な回動軸で回動自在に前記可搬部に連結されるとともに、前記可搬部を前記延長パイプから取外した際に前記気流路に連通する開口部が先端に形成されるブラシ保持部と、
前記開口部の周囲に配されるブラシと、
前記延長パイプに設けられるとともに前記可搬部を前記延長パイプに取り付けた際に前記ブラシ保持部を収納する収納部と、
を備え、前記ブラシ保持部は前記収納部内に収納した際に配される収納位置と、前記収納部から取り出した際に前記収納位置に対して傾斜した掃除位置との間を前記気流路の前方を遮らずに回動するとともに、前記開口部の一端が前記掃除位置で前記気流路の径方向外側まで延びて形成されて前記収納位置で前記気流路の端面よりも前方に配されることを特徴としている。
【０００９】
この構成によると、電動送風機に連通する吸気口を有した吸込口体と把持部を有する可搬部とが一体に移動して床面等の掃除が行われる。可搬部を吸込口体から独立に移動可能な状態にすると、可搬部に設けられるブラシ保持部の先端のブラシにより机上や壁面等の掃除が行われる。この時、ブラシ保持部は被掃除面に応じて所望の角度に配され、被掃除面の塵埃はブラシ保持部の開口部から吸い込まれて可搬部の気流路を介して電動送風機に導かれる。また、開口部の一端は気流路の径方向外側に延びて形成され、広い範囲を容易に掃除できる。
【００１０】
可搬部には気流路を延長する延長パイプが連結される。延長パイプと一体に可搬部を吸込口体から独立にすると、延長パイプの先端から塵埃を吸引して天井面等の掃除が行われる。ブラシ保持部は可搬部を延長パイプと一体化した際に収納位置に配されて延長パイプに設けた収納部に収納され、気流路と延長パイプとが連通する。可搬部を延長パイプから取り外すと、ブラシ保持部は収納部から取り出されて収納位置から回動して掃除位置に配される。
【００１１】
ブラシ保持部は掃除位置と収納位置の間を気流路を遮らずに気流路の外側で回動する。この時、掃除位置で気流路の外側に延びる開口部の一端は収納位置で気流路の端面よりも前方に配され、収納位置のブラシ保持部が被掃除面と当接して掃除位置に配される。また、掃除位置のブラシ保持部が被掃除面や収納部と当接して収納位置に配される。尚、電気掃除機はアップライト型でもよく、キャニスター型でもよい。
【００１２】
また本発明は、上記構成の電気掃除機において、前記回動軸が前記気流路の径方向の外側であって前記把持部を把持して前記ブラシを使用する際に立設される前記気流路に対して前方となる側に配されることを特徴としている。この構成によると、把持部を把持して可搬部を延長パイプから取り外すと収納位置のブラシ保持部は例えば、気流路の上方に沿って配される。ブラシ保持部を掃除位置に回動させると立設される気流路の前方に延びてブラシ保持部が配され、開口部が気流路の端面に対向する。
【００１３】
また本発明は、上記構成の電気掃除機において、前記ブラシ保持部は前記掃除位置で前方となる前部が覆われて後方となる後部が開放され、前記後部が前記気流路の側壁と摺動して前記ブラシ保持部が回動することを特徴としている。この構成によると、ブラシ保持部は後部を開放して前部が閉塞された平面断面がコ字型に形成され、前部が収納位置で気流路の端面よりも前方に配される。
【００１４】
また本発明は、上記構成の電気掃除機において、前記ブラシ保持部材を前記掃除位置の方向に付勢する弾性部材を設け、前記可搬部を前記延長パイプに装着した際に、前記弾性部材の付勢力に抗して前記ブラシ保持部材が前記収納部の内壁と摺動して前記収納位置に配されることを特徴としている。
【００１５】
この構成によると、ブラシ保持部は掃除位置の方向に付勢され、収納部から取り出した際に掃除位置に配されて掃除が行われる。可搬部を延長パイプに装着するとブラシ保持部が弾性部材の付勢力に抗して収納部の内壁と摺動し、収納位置に配されて収納される。
【００１６】
また本発明は、上記構成の電気掃除機において、前記電動送風機を収納する本体部に前記吸込口体が傾倒自在に連結されるとともに前記可搬部が前記延長パイプとともに前記本体部に着脱自在に設けられ、前記本体部に接続される可撓性の接続ホースを介して前記気流路が前記吸込口体と並列に前記電動送風機に連通することを特徴としている。
【００１７】
この構成によると、電気掃除機はアップライト型に構成され、延長パイプ及び可搬部を装着した本体部と一体に吸込口体が移動する。また、可搬部には電動送風機に吸込口体と並列に連結される接続ホースが接続され、本体部に装着された延長パイプから可搬部を取り外すと、ブラシ保持部の開口部から吸い込まれた塵埃は可搬部の気流路及び接続ホースを介して電動送風機に導かれる。
【００１８】
また本発明は、上記構成の電気掃除機において、前記延長パイプにより前記吸込口体と前記可搬部とを連結するとともに、前記電動送風機を収納する本体部に接続された可撓性の接続ホースとを有し、前記吸気口からの吸気が前記延長パイプ、前記気流路及び前記接続ホースを流通して前記電動送風機に導かれることを特徴としている。
【００１９】
この構成によると、電気掃除機はキャニスター型に構成され、電動送風機に連通した接続ホースに可搬部が接続されて可搬部と吸込口体とが延長パイプを介して連結される。これにより、可搬部と一体に吸込口体が移動し、吸気口から吸い込まれる塵埃は延長パイプ、気流路及び接続ホースを流通して電動送風機に導かれる。延長パイプから可搬部を取り外すと、ブラシ保持部の開口部から吸い込まれた塵埃は可搬部の気流路及び接続ホースを介して電動送風機に導かれる。
【発明の効果】
【００２０】
本発明によると、可搬部に設けたブラシ保持部が収納位置と掃除位置との間を気流路の前方を遮らずに回動するとともに、ブラシ保持部の開口部が掃除位置で気流路の径方向外側まで延びて形成されて収納位置で気流路の端面よりも前方に配されるので、収納位置のブラシ保持部材の先端を被掃除面に当接して容易にブラシ保持部材を掃除位置に配置することができる。また、掃除位置のブラシ保持部材の先端を被掃除面や収納部に当接して容易にブラシ保持部材を収納位置に配置することができる。
【００２１】
このため、ブラシの使用時や収納時にブラシ保持部を回動させる作業が不要となり、ブラシ保持部に付着する塵埃による手指の汚れを低減できる。また、掃除時に被掃除面に応じて所望の角度にブラシ保持部を傾斜させることができるため、ブラシ全体を被掃除面に容易に当接させることができる。加えて、気流路の外側に延びる開口部によって広い範囲を簡単に掃除することができる。従って、電気掃除機の利便性を向上することができる。
【図面の簡単な説明】
【００２２】
【図１】本発明の第１実施形態の電気掃除機を示す斜視図
【図２】本発明の第１実施形態の電気掃除機を示す正面図
【図３】本発明の第１実施形態の電気掃除機の吸込口体を省いた側面断面図
【図４】本発明の第１実施形態の電気掃除機の可搬部を延長パイプと一体に取り外した状態を示す斜視図
【図５】本発明の第１実施形態の電気掃除機の可搬部を延長パイプと一体に取り外した状態を示す側面断面図
【図６】本発明の第１実施形態の電気掃除機の可搬部を取り外した状態を示す斜視図
【図７】本発明の第１実施形態の電気掃除機の可搬部を取り外した状態を示す側面断面図
【図８】本発明の第１実施形態の電気掃除機の可搬部を示す側面図
【図９】本発明の第１実施形態の電気掃除機の可搬部の要部を示す側面断面図
【図１０】本発明の第１実施形態の電気掃除機の可搬部を示す側面図
【図１１】本発明の第１実施形態の電気掃除機の延長パイプの先端のブラシ保持部の収納位置に配された状態を示す側面図
【図１２】本発明の第１実施形態の電気掃除機の延長パイプの先端のブラシ保持部の収納位置に配された状態を示す上面図
【図１３】図１１のＣ−Ｃ断面図
【図１４】図１２のＡ−Ａ断面図
【図１５】図１２のＢ−Ｂ断面図
【図１６】本発明の第１実施形態の電気掃除機の延長パイプの先端のブラシ保持部の掃除位置に配された状態を示す側面断面図
【図１７】本発明の第１実施形態の電気掃除機の延長パイプの先端のブラシ保持部の掃除位置に配された状態を示す側面図
【図１８】本発明の第１実施形態の電気掃除機の延長パイプの先端のブラシ保持部の掃除位置に配された状態を示す側面断面図
【図１９】本発明の第１実施形態の電気掃除機の延長パイプと一体の可搬部を可搬した使用状態を示す斜視図
【図２０】本発明の第１実施形態の電気掃除機の可搬部を可搬した使用状態を示す斜視図
【図２１】本発明の第２実施形態の電気掃除機を示す側面図
【発明を実施するための形態】
【００２３】
以下に本発明の実施形態を図面を参照して説明する。図１は第１実施形態の電気掃除機を示す斜視図である。電気掃除機１はアップライト型に構成され、電動送風機２及び集塵部３（いずれも図３参照）を内装する本体部４を備えている。本体部４の下方には床面に面した吸気口（不図示）を有する吸込口体５が設けられ、本体部４は吸込口体５に対して傾倒可能になっている。
【００２４】
本体部４の上方には着脱自在の延長パイプ６が鉛直方向に延びて配される。延長パイプ６の上方には着脱自在の可搬部３１が設けられる。可搬部３１には使用者が把持する把持部８が設けられる。可搬部３１と本体部４との間は伸縮自在の接続ホース７で連結される。
【００２５】
これにより、可搬部３１は延長パイプ６を介して本体部４に取り付けられた状態で把持部８を把持して吸込口体５と一体に移動する。また、可搬部３１は延長パイプ６から取り外した状態及び延長パイプ６と一体に本体部４から取り外した状態で可搬となり、把持部８を把持して吸込口体５から独立して移動させることができる。
【００２６】
図２は電気掃除機１の正面図を示し、図３は電気掃除機１の吸込口体５を省いた側面断面図を示している。本体部４内には電動送風機２の下方に集塵部３が連通して配される。吸込口体５と集塵部３とは本体部４に設けた気流路４ａにより連通する。集塵部３は集塵容器３ａを有し、旋回気流により塵埃を分離するサイクロン式になっている。本体部４の前面パネル４ｄは把手４ｅを把持して開閉可能になっており、前面パネル４ｄとともに塵埃を捕集した集塵容器３ａを着脱可能になっている。
【００２７】
本体部４の後部には上面を開口して集塵部３に連通する気流路４ｂが設けられる。気流路４ｂは気流路４ａと並列に配されて電動送風機２に連通する。気流路４ｂの上端には接続ホース７の下端が嵌合する下支持部４ｃが形成される。下支持部４ｃによって接続ホース７の下部が略鉛直に支持される。接続ホース７の上端は可搬部３１に設けられた上支持部３１ａに嵌合される。
【００２８】
延長パイプ６の後部にはフック６ｆが設けられる。接続ホース７に挿通される環状の保持部２０（図１参照）をフック６ｆに係止して接続ホース７を保持できるようになっている。
【００２９】
電動送風機２と気流路４ｂとの間には本体部４の上面を開口する延長パイプ収納部４ｆが設けられる。延長パイプ収納部４ｆには延長パイプ６の先端部分が収納され、フック１１の操作によって図４、図５に示すように本体部４から延長パイプ６が脱着可能になっている。
【００３０】
図５において、延長パイプ６は二重管に構成され、外筒３０に伸長パイプ３２が内嵌される。延長パイプ６を本体部４から脱着した際に外筒３０の先端から伸長パイプ３２を引き出して延長パイプ６を伸長することができる。伸長パイプ３２の先端には詳細を後述するブラシ５０を有したブラシ保持部５１が回動自在に配されている。
【００３１】
また、可搬部３１はフック１２の操作によって図６、図７に示すように延長パイプ６から脱着可能になっている。これにより、延長パイプ６を本体部４に取り付けた状態で可搬部３１を取り外すことができる。
【００３２】
図７において、可搬部３１は上支持部３１ａに連通する気流路３１ｂを内部に有している。接続ホース７と延長パイプ６の外筒３０とは気流路３１ｂを介して連通する。これにより、延長パイプ６は接続ホース７に連通する気流路３１ｂを延長する。
【００３３】
可搬部３１の先端にはブラシ保持部４１が回動自在に配されている。ブラシ保持部４１は先端に開口部４１ｂを有して開口部４１ｂの周囲にブラシ４０が配される。延長パイプ６内にはブラシ保持部４１が収納される収納部６ａが外筒３０に沿って設けられる。ブラシ保持部４１は気流路３１ｂに垂直な回動軸４１ａで回動自在に配され、図中、時計回りにブラシ保持部４１を付勢する捻りバネから成る弾性部材４２が設けられる。
【００３４】
従って、可搬部３１を延長パイプ６から取り外して収納部６ａから取り出すと、図８に示すようにブラシ保持部４１が回動して掃除位置に配される。この時、ブラシ保持部４１は可搬部３１に設けたストッパ３１ｃ（図９参照）に当接して所定の角度に設置される。
【００３５】
また、可搬部３１を延長パイプ６に装着すると、弾性部材４２の付勢力に抗してブラシ保持部４１の先端が収納部６ａの内壁６ｂ（図７参照）と摺動する。これにより、ブラシ保持部４１は図７に示す収納位置に配されて収納部６ａ内に収納される。
【００３６】
図９は可搬部３１の要部の側面断面図を示している。気流路３１ｂは断面矩形に形成され、掃除位置のブラシ保持部４１の開口部４１ｂの一端が気流路３１ｂの径方向外側まで延びて形成される。これにより、ブラシ保持部４１が掃除位置に配された可搬部３１の把持部８を把持して気流路３１ｂの外側まで広い範囲で机上等を掃除することができる。
【００３７】
この時、弾性部材４２の付勢力に抗して把持部８に対するブラシ保持部４１の角度を可変することができる。このため、被掃除面に応じてブラシ保持部４１の開口部４１ｂを所望の角度に傾斜して良好に掃除を行うことができる。
【００３８】
また、ブラシ保持部４１を掃除位置に配して把持部８を把持した際にブラシ保持部４１の前方となる前部４１ｃは開口部４１ｂの上方が塞がれており、後方となる後部４１ｄは開放されている。開放された後部４１ｄの内面が気流路３１ｂの側壁に摺動してブラシ保持部４１が回動する。このため、開口部４１ｂの周囲に設けられるブラシ４０は平面視コ字状に配される。
【００３９】
ブラシ保持部４１は弾性部材４２によって掃除位置の方向に付勢されるため、延長パイプ６から可搬部３１を取り外した際に使用者による回動操作を必要とせず掃除位置に配される。これにより、ブラシ４０やブラシ保持部４１に付着する塵埃に触れずに直ちに掃除を行うことができる。
【００４０】
また、ブラシ保持部４１は収納部６ａに収納される際に内壁６ｂ（図７参照）と摺動して弾性部材４２の付勢力に抗して回動するため、使用者による回動操作を必要とせず収納位置に配される。これにより、ブラシ４０やブラシ保持部４１に付着する塵埃に触れずに迅速に可搬部３１を延長パイプ６に取り付けてブラシ保持部４１を収納することができる。
【００４１】
この時、回動軸４１ａは気流路３１ｂの径方向の外側であって把持部８を把持してブラシ４０を使用する際に立設される気流路３１ｂに対して前方となる側に配される。このため、ブラシ保持部４１が掃除位置と収納位置との間を気流路３１ｂの前方を遮らずに９０゜以下の小さい回動角度で回動し、収納位置で開口部４１ｂの一端は気流路３１ｂの端面よりも前方に配される。
【００４２】
これにより、掃除位置で前方に突出するブラシ保持部４１は収納位置で気流路３１ｂからの径方向の突出量が減少し、ブラシ保持部４１を省スペースで収納することができる。また、収納位置で気流路３１ｂの前方が塞がれずに延長パイプ６の外筒３０と気流路３１ｂとを連通させることができる。
【００４３】
また、回動するブラシ保持部４１の回動軸４１ａと前部４１ｃの上面とが近接する。このため、可搬部３１に設けた回動軸４１ａと同心の円筒面に前部４１ｃの上面を摺動させて回動するブラシ保持部４１の上面を簡単に塞ぐことができる。従って、気流漏れを防止することができる。
【００４４】
図１０は収納部６ａにブラシ保持部４１を収納した状態の可搬部３１の側面図を示している。延長パイプ６の側面にはブラシ保持部４１の後部４１ｄに配されたブラシ４０の一部が露出する窓部６ｄが形成される。これにより、ブラシ４０が視認可能になり、延長パイプ６から可搬部３１を取り外してブラシ４０による掃除が可能であることを使用者に容易に知らせることができる。
【００４５】
この時、ブラシ保持部４１の開口部４０ｂが形成される端面にブラシ４０が設けられる。このため、把持部８を把持した際にブラシ４０に向かう使用者の視線がブラシ保持部４１によって遮られる。これにより、塵埃の付着するブラシ４０を容易に視認できないため使用時の清潔感の低下を防止することができる。
【００４６】
図１１、図１２は伸長パイプ３２の先端のブラシ保持部５１を示す側面図及び上面図を示している。また、図１３は図１１のＣ−Ｃ断面図を示し、図１４、図１５はそれぞれ図１２のＡ−Ａ断面図及びＢ−Ｂ断面図を示している。
【００４７】
ブラシ保持部５１は被掃除面に対向する開口部５１ｂを先端に有し、開口部５１ｂの周囲にブラシ５０が配される。ブラシ保持部５１は伸長パイプ３２の側壁に設けた回動軸５１ａで枢支され、回動自在に保持される。伸長パイプ３２に設けられるストッパ３２ｂ、３２ｃにブラシ保持部５１が当接してブラシ保持部５１の回動範囲が規制される。延長パイプ６を延長パイプ収納部４ｆに収納する際にブラシ保持部５１は図１１に示すようにストッパ３２ｂに当接する収納位置に配される。収納位置でブラシ保持部５１は伸長パイプ３２の延長上に配される。
【００４８】
また、ブラシ保持部５１は収納位置に配された際に伸長パイプ３２の開口する端面３２ａに対して前方となる前部５１ｃは開口部５１ｂの上方が塞がれ、後方となる後部５１ｄは開放されている。開放された後部５１ｄの内面が伸長パイプ３２の側壁に摺動してブラシ保持部５１が回動する。このため、開口部５１ｂの周囲に設けられるブラシ５０は平面視コ字状に配される。
【００４９】
ブラシ保持部５１は開口部５１ｂに対向する上面に上面開口部５１ｅが形成される。ブラシ保持部５１の回動によって上面開口部５１ｅ内を伸長パイプ３２の上壁３２ｆが通過する。上面開口部５１ｅには樹脂成形品から成るブラシ保持部５１と一体成形される弾性部材５２が配される。弾性部材５２によって上面開口部５１ｅが塞がれて気流漏れを防止することができる。
【００５０】
弾性部材５２は上面開口部５１ｅの前端から後方（伸長パイプ３２側）に延びてＳ字状に蛇行するＳ字状部５２ａを有している。伸長パイプ３２の端面３２ａは傾斜面に形成され、Ｓ字状部５２ａの後端は伸長パイプ３２の上壁前端の相対的な回動範囲の内側に配されて端面３２ａに当接する。また、弾性部材５２はＳ字状部５２ａの後端から上方に屈曲する屈曲部５２ｂを有している。屈曲部５２ｂはＳ字状部５２ａよりも幅が狭く、収納位置で端面３２ａよりも伸長パイプ３２の内側に配される。
【００５１】
ブラシ保持部５１を前部５１ｃが上方となる方向（図１１において時計回り）に回動させると、Ｓ字状部５２ａが端面３２ａと摺動する。この時、蛇行するＳ字状部５２ａが傾斜面の端面３２ａに押し下げられて上下方向に広がるため、ブラシ保持部５１は弾性部材５２によって収納位置の方向に付勢される。
【００５２】
そして、弾性部材の付勢力に抗してブラシ保持部５１を回動すると、ブラシ保持部５１は図１６に示すように収納位置に対して傾斜した掃除位置に配される。ブラシ保持部５１に配されるブラシ５０の前端を被掃除面に当接して延長パイプ６を回動させることにより、容易にブラシ保持部５１を掃除位置に配することができる。これにより、延長パイプ６と一体の可搬部３１の把持部８を把持して天井面等を掃除することができる。
【００５３】
この時、弾性部材５２の付勢力に抗して把持部８に対するブラシ保持部５１の角度を可変することができる。このため、被掃除面に応じてブラシ保持部５１の開口部５１ｂを所望の角度に傾斜して良好に掃除を行うことができる。また、被掃除面からブラシ５０を離すと、弾性部材５２の付勢力によってブラシ保持部５１が収納位置に戻る。
【００５４】
掃除位置で角度を可変のブラシ保持部５１は図１７、図１８に示すようにストッパ３２ｃに当接して伸長パイプ３２に対して開口部５１ｂが略垂直に配されるまで回動できる。この時、弾性部材５２の屈曲部５２ｂが伸長パイプ３２の上壁３２ｆの端部の平面部３２ｄに摺動する。
【００５５】
平面部３２ｄは回動軸５１ａと伸長パイプ３２の上壁前端とを結ぶ回動半径に対して鈍角に形成される。このため、ブラシ保持部５１は被掃除面から離れると屈曲部５２ｂが平面部３２ｄを押圧する弾性力の周方向の分力によって収納位置に戻される。尚、平面部３２ｄと屈曲部５２ｂとの摩擦力が大きい場合は図１８、図１９の位置でブラシ保持部５１を維持されるが、延長パイプ６の角度を僅かに可変するとブラシ保持部５１が収納位置に戻る。
【００５６】
ブラシ保持部５１は弾性部材５２によって収納位置の方向に付勢されるため、可搬部３１と一体の延長パイプ６を収納する際に使用者による回動操作を必要とせず収納位置に配される。これにより、ブラシ５０やブラシ保持部５１に付着する塵埃に触れずに迅速に延長パイプ６と一体の可搬部３１を本体部４に取り付けることができる。
【００５７】
また、ブラシ５０を被掃除面に当接することでブラシ保持部５１が使用者による回動操作を必要とせず掃除位置に配される。これにより、ブラシ５０やブラシ保持部５１に付着する塵埃に触れずに直ちに掃除を行うことができる。
【００５８】
上記構成の電気掃除機１において、延長パイプ６を本体部４に装着した状態で電動送風機２が駆動されると、吸込口体５の吸気口（不図示）から塵埃とともに空気が吸い込まれる。吸気口から吸い込まれた空気は気流路４ａを介して集塵部３に流入し、旋回による遠心力によって塵埃が分離される。分離された塵埃は集塵容器３ａに堆積し、前面パネル４ｄを開いて廃棄される。集塵部３によって塵埃が除去された空気は電動送風機２が配される室内を通って排気口（不図示）から排気される。これにより、床面の掃除が行われる。
【００５９】
この時、延長パイプ６と延長パイプ収納部４ｆ内面との間はパッキン（不図示）によりシールされており、延長パイプ収納部４ｆと気流路４ｂとの間に気流が流通しない。これにより、電気掃除機１の仕事率低下が防止される。
【００６０】
フック１１の操作によって延長パイプ６と一体に可搬部３１を本体部４から脱着すると、延長パイプ６の先端から伸長パイプ３２が引き出される。この時、ブラシ保持部５１は収納位置に配される。電動送風機２を駆動すると伸長パイプ３２の先端のブラシ保持部５１の開口部５１ｂから塵埃とともに空気が吸い込まれる。開口部５１ｂから吸い込まれた空気は伸長パイプ３２、外筒３０、気流路３１ｂ、接続ホース７を流通し、気流路４ｂを介して集塵部３に流入する。
【００６１】
これにより、図１９に示すように室内の上方に配される空気調和機、天井面、家具の隙間等の掃除を楽に行うことができる。この時、ブラシ５０が被掃除面に当接してブラシ保持部５１が掃除位置に配される。
【００６２】
また、フック１２の操作によって可搬部３１を本体部４から脱着すると、ブラシ保持部４１が弾性部材４２により掃除位置に配される。電動送風機２を駆動するとブラシ保持部４１の開口部４１ｂから塵埃とともに空気が吸い込まれる。開口部４１ｂから吸い込まれた空気は気流路３１ｂ、接続ホース７を流通し、気流路４ｂを介して集塵部３に流入する。これにより、図２０に示すように机上等の掃除を楽に行うことができる。
【００６３】
本実施形態によると、可搬部３１に設けたブラシ保持部４１が収納位置と掃除位置との間を気流路３１ｂの前方を遮らずに回動するとともに、ブラシ保持部４１の開口部４１ｂの一端が掃除位置で気流路３１ｂの径方向外側まで延びて形成されて収納位置で気流路３１ｂの端面よりも前方に配されるので、掃除位置のブラシ保持部材４１の先端を収納部６ａの内壁に当接して容易にブラシ保持部材４１を収納位置に配置することができる。
【００６４】
このため、ブラシ４０の収納時にブラシ保持部４１を回動させる作業が不要となり、ブラシ保持部４１に付着する塵埃による手指の汚れを低減できる。また、掃除時に被掃除面に応じて所望の角度にブラシ保持部４１を傾斜させることができるため、ブラシ４０全体を被掃除面に容易に当接させることができる。加えて、気流路３１ｂの外側に延びる開口部４１ｂによって広い範囲を簡単に掃除することができる。従って、電気掃除機１の利便性を向上することができる。
【００６５】
また、ブラシ保持部４１の回動軸４１ａが気流路３１ｂの径方向の外側であって把持部８を把持してブラシ４０を使用する際に立設される気流路３１ｂに対して前方となる側に配されるので、気流路３１ｂの前方を遮らずに収納位置と掃除位置とを回動するブラシ保持部４１を容易に実現することができる。
【００６６】
また、ブラシ保持部４１は掃除位置で前方となる前部４１ｃが覆われて後方となる後部４１ｄが開放され、後部４１ｄが気流路３１ｂの側壁と摺動してブラシ保持部４１が回動するので、掃除位置でブラシ保持部４１の後部４１ｄが気流路３１ｂの後端まで覆って吸気面積の広い開口部４１ｂを容易に実現することができる。
【００６７】
また、ブラシ保持部材４１を掃除位置の方向に付勢する弾性部材４２を設けたので、延長パイプ６から取り外した際にブラシ保持部材４１が弾性部材４２により掃除位置に配される。従って、ブラシ保持部材４１に付着する塵埃に触れずに塵埃による手指の汚れをより低減し、迅速に掃除を行うことができる。
【００６８】
また、可搬部３１を延長パイプ６に装着した際に弾性部材４２の付勢力に抗してブラシ保持部材４１が収納部６ａの内壁６ｂと摺動して収納位置に配されるので、ブラシ保持部４１に触れずに容易にブラシ保持部４１を収納することができる。
【００６９】
次に、図２１は第２実施形態の電気掃除機の側面図を示している。説明の便宜上、前述の図１〜図２０に示す第１実施形態と同様の部分については同一の符号を付している。電気掃除機６０はキャニスター型に構成され、電動送風機２及び集塵部（不図示）を内装する本体部４を備えている。
【００７０】
本体部４には電動送風機２に連通する接続ホース７が取り付けられる。接続ホース７には第１実施形態と同様の可搬部３１が取り付けられる。可搬部３１の内部には気流路３１ｂ（図７参照）が形成され、使用者が把持する把持部８が設けられる。可搬部３１には床面に面した吸気口（不図示）を有する吸込口体５が延長パイプ６を介して取り付けられる。
【００７１】
可搬部３１は延長パイプ６に対して着脱自在に設けられる。これにより、可搬部３１は延長パイプ６に取り付けた状態で把持部８を把持して吸込口体５と一体に移動する。また、可搬部３１は延長パイプ６から取り外した状態で可搬となり、把持部８を把持して吸込口体５から独立して移動させることができる。
【００７２】
可搬部３１は第１実施形態と同様のブラシ保持部４１（図７参照）を有し、ブラシ保持部４１を掃除位置の方向に付勢する弾性部材４２（図９参照）が設けられる。延長パイプ６にはブラシ保持部４１を収納する収納部６ａ（図７参照）が形成される。
【００７３】
従って、第１実施形態と同様に、可搬部３１に設けたブラシ保持部４１が収納位置と掃除位置との間を気流路３１ｂの前方を遮らずに回動するとともに、ブラシ保持部４１の開口部４１ｂの一端が掃除位置で気流路３１ｂの径方向外側まで延びて形成されて収納位置で気流路３１ｂの端面よりも前方に配されるので、掃除位置のブラシ保持部材４１の先端を収納部６ａの内壁に当接して容易にブラシ保持部材４１を収納位置に配置することができる。
【００７４】
このため、ブラシ４０の収納時にブラシ保持部４１を回動させる作業が不要となり、ブラシ保持部４１に付着する塵埃による手指の汚れを低減できる。また、掃除時に被掃除面に応じて所望の角度にブラシ保持部４１を傾斜させることができるため、ブラシ４０全体を被掃除面に容易に当接させることができる。加えて、気流路３１ｂの外側に延びる開口部４１ｂによって広い範囲を簡単に掃除することができる。従って、電気掃除機１の利便性を向上することができる。
【００７５】
尚、第１、第２実施形態において、弾性部材４２によってブラシ保持部４１が掃除位置の方向に付勢されるが、弾性部材４２を省いてもよい。この時、ブラシ保持部４１の開口部４１ｂの一端が掃除位置で気流路３１ｂの径方向外側まで延びて形成されて収納位置で気流路３１ｂの端面よりも前方に配されるので、収納位置のブラシ保持部材４１の先端を被掃除面に当接して容易にブラシ保持部材４１を掃除位置に配置することができる。従って、ブラシ４０による掃除時にブラシ保持部４１を回動させる作業が不要となり、ブラシ保持部４１に付着する塵埃による手指の汚れを低減できる。
【産業上の利用可能性】
【００７６】
本発明によると、ブラシと一体の把持部を着脱自在に設けた電気掃除機に利用することができる。
【符号の説明】
【００７７】
１、６０  電気掃除機
２    電動送風機
３    集塵部
４    本体部
４ｆ  延長パイプ収納部
５    吸込口体
６    延長パイプ
６ａ  収納部
６ｂ  内壁
６ｄ  窓部
７    接続ホース
８    把持部
９    可動部
１１、１２  フック
３０    外筒
３１    可搬部
３１ｂ  気流路
３２    伸長パイプ
３２ａ  端面
３２ｂ、３２ｃ  ストッパ
３２ｄ  平面部
４０、５０  ブラシ
４１、５１  ブラシ保持部
４１ａ、５１ａ  回動軸
４１ｂ、５１ｂ  開口部
５１ｅ  上面開口部
４２、５２  弾性部材
５２ａ  Ｓ字状部
５２ｂ  屈曲部
【図１】
2010162081.tif 000003
【図２】
2010162081.tif 000004
【図３】
2010162081.tif 000005
【図４】
2010162081.tif 000006
【図５】
2010162081.tif 000007
【図６】
2010162081.tif 000008
【図７】
2010162081.tif 000009
【図８】
2010162081.tif 000010
【図９】
2010162081.tif 000011
【図１０】
2010162081.tif 000012
【図１１】
2010162081.tif 000013
【図１２】
2010162081.tif 000014
【図１３】
2010162081.tif 000015
【図１４】
2010162081.tif 000016
【図１５】
2010162081.tif 000017
【図１６】
2010162081.tif 000018
【図１７】
2010162081.tif 000019
【図１８】
2010162081.tif 000020
【図１９】
2010162081.tif 000021
【図２０】
2010162081.tif 000022
【図２１】
2010162081.tif 000023